(57)【要約】【課題】動画の表示を抑止しつつメニューを利用可能に表示する「車載ビデオ再生装置」を提供する。【解決手段】自動車の走行中、走行中表示制御部１７は、メニュー再生中となったならば、メニューに含まれる動画中から、一つの画像フレームの画像を代替画像として抽出し、抽出した代替画像の静止画としてのセレクタ１２６への出力を開始する。そして、セレクタ１２６に走行中表示制御部１７が出力する代替画像を選択させ、合成制御部１２７へ出力させると共に、表示制御装置１３に表示装置１４への表示開始を指示する。合成制御部１２７は、動画に代えて代替画像をメニューの背景として用いてメニューを表す表示画像を生成し、表示制御装置１３を介して表示装置１４に表示する。【選択図】図１
2007096392.tif 000002
【特許請求の範囲】
【請求項１】
記憶媒体に記録されたビデオタイトルと、当該記憶媒体に記録された前記ビデオタイトルの再生動作に関するユーザ操作を受け付けるためのメニューとを再生する、自動車に搭載される車載ビデオ再生装置であって、
前記自動車の走行中の有無を検出する走行有無検出手段と、
前記走行有無検出手段が自動車の走行中を検出しているときに、動画を背景として含む前記メニューを表示する場合に、当該メニューに含まれる動画に代えて所定の静止画を背景として用いたメニューを表示する走行中メニュー表示手段とを有することを特徴とする車載ビデオ表示装置。
【請求項２】
請求項１記載の車載ビデオ再生装置であって、
前記走行中メニュー表示手段は、前記走行有無検出手段が自動車の走行中を検出しているときに、動画を背景として含む前記メニューを表示する場合に、当該メニューに含まれる動画の少なくとも一部を素材として用いて前記静止画を生成し、当該メニューに含まれる動画に代えて前記生成した静止画を背景として用いたメニューを表示することを特徴とする車載ビデオ再生装置。
【請求項３】
請求項２記載の車載ビデオ再生装置であって、
前記走行中メニュー表示手段は、前記走行有無検出手段が自動車の走行中を検出しているときに、動画を背景として含む前記メニューを表示する場合に、当該メニューに含まれる動画を構成する一つの画像フレームを選定し、選定した画像フレームの画像を前記静止画として生成することを特徴とする車載ビデオ再生装置。
【請求項４】
請求項３記載の車載ビデオ再生装置であって、
前記走行中メニュー表示手段は、前記メニューに含まれる動画を構成する画像フレームのうちの、前後の画像フレームの画像に対する変化が小さい画像を持つ画像フレームを、前記一つの画像フレームとして選定することを特徴とする車載ビデオ再生装置。
【請求項５】
請求項３記載の車載ビデオ再生装置であって、
前記走行中メニュー表示手段は、前記メニューに含まれる動画を構成する画像フレームのうちの、当該動画の再生期間中の中央付近の再生時間を持つ画像フレームを、前記一つの画像フレームとして選定することを特徴とする車載ビデオ再生装置。
【請求項６】
請求項１、２、３、４または５記載の車載ビデオ再生装置であって、
前記記録媒体は、DVD-Videoディスクであり、前記メニューは、VMGM_PGCIとVTSM_PGCIとの少なくとも一方によって規定されていることを特徴とする車載ビデオ再生装置。
【請求項７】
記憶媒体に記録されたビデオタイトルと、当該記憶媒体に記録された前記ビデオタイトルの再生動作に関するユーザ操作を受け付けるためのメニューとを再生する、自動車に搭載される車載ビデオ再生装置において、前記メニューの表示を制御するメニュー表示制御方法であって、
前記自動車の走行中の有無を検出するステップと、
自動車の走行中を検出しているときに、動画を背景として含む前記メニューを表示する場合に、当該メニューに含まれる動画に代えて所定の静止画を背景として用いたメニューを表示するステップとを有することを特徴とする車載ビデオ再生装置におけるメニュー表示制御方法。
【発明の詳細な説明】
【技術分野】
【０００１】
本発明は、自動車に搭載されたDVDビデオ再生装置などの車載ビデオ再生装置において、自動車の走行中の表示を制御する技術に関するものである。
【背景技術】
【０００２】
車載ビデオ再生装置において自動車の走行中の表示を制御する技術としては、自動車が走行中である場合には音声の出力のみを行い動画の表示を停止する技術や、自動車が走行中である場合には、音声の出力を継続しつつ、動画については、表示する画像フレームの更新を画像フレーム周期毎に行わずに、画像フレーム周期よりも充分に長い所定の期間毎に行うことにより、順次、動画に含まれる一部の画像フレームの画像を静止画として表示する技術も知られている（たとえば、特許文献１）。
【０００３】
また、車載ビデオ再生装置において自動車の走行中の表示を制御する技術としては、DVDビデオ再生装置において、自動車が走行中である場合にはDVD-Videoディスクの記録データによって定義されているメニューが再生対象となったときに、強制的にメニューの再生を終了し、当該メニュー再生前の再生箇所から再生を再開させる技術も知られている（たとえば、特許文献２）。
【特許文献１】特開平10-151995号公報
【特許文献２】特開2002-16850号公報
【発明の開示】
【発明が解決しようとする課題】
【０００４】
前述した車載ビデオ再生装置において自動車の走行中の表示を制御する技術によれば、自動車の走行中、ユーザは、記録媒体の記録データによって定義されているメニューを利用することができない。したがって、ユーザは、このメニューを利用した、記録媒体の所望の形態での再生を車載ビデオ再生装置に行わせることができなくなってしまう。一方で、自動車の走行中も、通常通りメニューを表示装置に表示して、メニューをユーザが利用できるようにすると、メニューの画面が動画を含んでいる場合には、車両の運転者の表示装置の表示への意識を過剰に喚起してしまうことになる。
【０００５】
そこで、本発明は、車載ビデオ再生装置において、記録媒体の記録データによって定義されているメニューを、メニュー画面における動画の表示を抑止しつつ利用可能とすることを課題とする。
【課題を解決するための手段】
【０００６】
前記課題達成のために、本発明は、記憶媒体に記録されたビデオタイトルと、当該記憶媒体に記録された前記ビデオタイトルの再生動作に関するユーザ操作を受け付けるためのメニューとを再生する、自動車に搭載される車載ビデオ再生装置に、前記自動車の走行中の有無を検出する走行有無検出手段と、前記走行有無検出手段が自動車の走行中を検出しているときに、動画を背景として含む前記メニューを表示する場合に、当該メニューに含まれる動画に代えて所定の静止画を背景として用いたメニューを表示する走行中メニュー表示手段とを備えたものである。
【０００７】
このような車載ビデオ再生装置によれば、自動車の走行中に動画を背景として含むメニューを表示する場合には、当該メニューの背景を静止画に置き換えたメニューを表示するので、動画の表示を抑止しつつメニューを表示し、ユーザが当該メニューを利用可能とすることができる。
ここで、このような車載ビデオ再生装置は、前記走行中メニュー表示手段において、前記走行有無検出手段が自動車の走行中を検出しているときに、動画を背景として含む前記メニューを表示する場合に、当該メニューに含まれる動画の少なくとも一部を素材として用いて前記静止画を生成し、当該メニューに含まれる動画に代えて前記生成した静止画を背景として用いたメニューを表示するようにすることが好ましい。
【０００８】
より具体的には、前記走行中メニュー表示手段において、たとえば、前記走行有無検出手段が自動車の走行中を検出しているときに、動画を背景として含む前記メニューを表示する場合に、当該メニューに含まれる動画を構成する一つの画像フレームを選定し、選定した画像フレームの画像を前記静止画として生成するようにしてもよい。
【０００９】
なお、この場合には、前記メニューに含まれる動画を構成する画像フレームのうちの、前後の画像フレームの画像に対する変化が小さい画像を持つ画像フレームを、前記一つの画像フレームとして選定したり、前記走行中メニュー表示手段は、前記メニューに含まれる動画を構成する画像フレームのうちの、当該動画の再生期間中の中央付近の再生時間を持つ画像フレームを、前記一つの画像フレームとして選定したりするようにしてもよい。
【００１０】
これらのように動画に代えて当該動画の少なくとも一部を素材として用いて生成した静止画をメニューの背景として表示することにより、動画の性質を継承した静止画をメニューの背景として表示することができ、動画を背景として含んだオリジナルのメニューの雰囲気や娯楽性をある程度維持した形態でメニューを表示することができるようになる。
【００１１】
なお、以上の車載ビデオ再生装置において、前記記録媒体は、DVD-Videoディスクであってよく、この場合には、前記メニューは、VMGM_PGCIとVTSM_PGCIとの少なくとも一方によって規定されてるものであってよい。
【発明の効果】
【００１２】
以上のように、本発明によれば、車載ビデオ表示装置において、記録媒体の記録データによって定義されているメニューを、メニュー画面における動画の表示を抑止しつつ利用可能とすることができる。
【発明を実施するための最良の形態】
【００１３】
以下、本発明の実施形態について、自動車に搭載されるDVDビデオ再生装置への適用を例にとり説明する。
図１に、本実施形態に係るDVDビデオ再生装置の構成を示す。
図示するように、DVDビデオ再生装置は、DVD-Videoディスク１にリードアクセスするDVDドライバ１０、ナビゲーションマネージャ１１、プレゼンテーションエンジン１２、表示制御装置１３、表示装置１４、音声を出力するスピーカ等の音声出力装置１５、入力装置１６、走行中表示制御部１７、走行有無検出センサ１８を有する。
【００１４】
さて、DVD-Videoディスク１に記録されるデータは、大別して音声データや動画データやサブピクチャデータやハイライト情報HLIなどのプレゼンテーションの実体を格納したプレゼンテーションデータと、プレゼンテーションの実行を制御するためのナビゲーションデータとよりなる。
【００１５】
そして、プレゼンテーションエンジン１２において、デマルチプレクサ機能部（DEMUX）１２１は、ナビゲーションマネージャ１１がDVDドライバ１０にDVD-Videoディスク１から読み出させたプレゼンテーションデータから音声データ、動画データ、サブピクチャデータ、ボタンのハイライト情報HLIなどを抽出する。オーディオデコーダ１２２は、抽出された音声データをデコードし、デコードした音声を音声出力装置１５に出力し、ビデオデコーダ１２３は抽出された動画データを動画にデコードし、サブピクチャデコーダ１２４は抽出されたサブピクチャデータを静止画であるサブピクチャにデコードし、PCI-HLIデコーダ１２５は抽出されたハイライト情報HLIなどをデコードする。セレクタ１２６は、ビデオデコーダ１２３がデコードした動画と走行中表示制御部１７から出力される代替画像とのうちの一方を選択し合成制御部１２７に出力する。そして、合成制御部１２７は、サブピクチャとハイライト情報ＨＬＩとより定義されるボタンを含めた画像を生成し、セレクタ１２６より出力される動画または代替画像と合成して表示画像として、表示制御装置１３を介して表示装置１４に出力する。
【００１６】
また、プレゼンテーションエンジン１２において、ビデオデコーダ１２３がデコードした動画、サブピクチャデコーダ１２４がデコードしたサブピクチャ、PCI-HLIデコーダ１２５がデコードしたハイライト情報HLIは、走行中表示制御部１７にも送られる。
ここで、合成制御部１２７によって、どのようにボタンを含む表示画像が生成されるかを図２に示す。
ボタンが表示される表示画像ａ４-ａ６は、図示するように、ａ１に示す動画上に、ａ２に示すサブピクチャをａ３に示すハイライト情報HLIに従って操作して合成することにより形成される。また、サブピクチャａ２は基本的には静止画であり、ａ３にハイライト情報HLIに記述されたサブピクチャ上の矩形の領域がボタンの領域となる。そして、ユーザによって選択されたボタンや決定されたボタンは、ａ５やａ６に示すように、ハイライト情報HLIに従ってサブピクチャのボタンの領域の表示色や動画との合成比を変化させることにより表現される。ａ５、ａ６に示した例は、ボタン番号２のボタンがユーザ操作によって選択、決定操作されたときに、サブピクチャのボタン番号２のボタンの領域の表示色が、ハイライト情報に従って変化しているようすを示している。また、ハイライト情報HLIには、各ボタンがユーザによって決定操作されたときに実行すべき処理を定義したボタンコマンドBTN_CMDも定義されている。
【００１７】
さて、図１に戻り、表示制御装置１３は、ナビゲーションマネージャ１１や走行中表示制御部１７の制御に従って、合成制御部１２７の出力する表示画像の表示装置１４への表示を制御する。
また、走行有無検出センサ１８は、自動車の車速や、パーキングブレーキの操作状態を監視し、自動車が駐停車中であるか走行中であるかを検出する。
そして、ナビゲーションマネージャ１１は、DVDドライバ１０を介して読み込んだナビゲーションデータと、入力装置１６より受け取ったユーザ操作とに応じて、プレゼンテーションの再生シーケンスを決定し、決定した再生シーケンスに従ったプレゼンテーションエンジン１２の再生出力動作を制御する。
【００１８】
なお、以上のDVDビデオ再生装置は、DVDドライバ１０や表示装置１４や音声出力装置１５や入力装置１６を周辺装置として備えた汎用コンピュータであってもよい。そして、この場合、以上のナビゲーションマネージャ１１やプレゼンテーションエンジン１２またはその一部は、コンピュータがプログラムを実行することによりコンピュータ上にプロセスとして実現されるものであって良い。
【００１９】
さて、DVD-Videoディスク１に記録されているプレゼンテーションデータの再生シーケンスは、プログラムチェインPGCを単位として規定されており、このPGCの構成を定義するのがナビゲーションデータに含まれるプログラムチェイン情報PGCIである。そして、ナビゲーションマネージャ１１は、このプログラムチェイン情報PGCIに従って、プレゼンテーションエンジン１２におけるPGCの再生シーケンスを制御する。
【００２０】
ここで、このPGCには、ビデオタイトルを再生するためのTT_PGCと、DVD-Videoディスク１に記録されているビデオタイトル全体に共通のメニューを再生するためのVMGM_PGCと、DVD-Videoディスク１においてVTSとして定義されているビデオタイトルのセット毎に設けられた、当該ビデオタイトルのセット内のビデオタイトル全体に共通のメニューを再生するためのVTSM_PGCがあり、メニューを再生するためのVMGM_PGCとVTSM_PGCは、メニュー空間のPGCとして、ナビゲーションマネージャ１１によって管理される。そして、ナビゲーションマネージャ１１は、メニュー空間のPGCを再生中には、メニュー空間再生中である旨を走行中表示制御部１７に通知する。また、ナビゲーションマネージャ１１は、再生中のPGCが変化したときに、PGC変化通知を走行中表示制御部１７に通知する。
【００２１】
以下、このような構成において、前述のようにナビゲーションマネージャ１１の制御に従って、自動車の走行中に走行中表示制御部１７が行う走行中表示制御部処理について説明する。
図３に、この走行中表示制御部処理の手順を示す。
図示するように、この走行中表示制御処理では、まず、走行有無検出センサ１８の検出内容が自動車の走行中であるか駐停車中であるかを調べ（ステップ３０２）、走行中であればステップ３０４に進む。
一方、駐停車中であれば、セレクタ１２６にビデオデコーダ１２３が出力する動画を選択させ、合成制御部１２７へ出力させる（ステップ３１８）。そして、表示制御装置１３に表示開始を指示する（ステップ３２０）。そして、走行有無検出センサ１８の検出内容が自動車の走行中に変化するのを待って（ステップ３２２）、ステップ３０４に進む。ここで、表示開始を指示された表示制御装置１３は、合成制御部１２７から出力される表示画像の表示装置１４への表示を開始する。
【００２２】
さて、ステップ３０４では、まず、表示制御装置１３に表示装置１４への表示のマスクを指示する。ここで、表示装置１４への表示のマスクを指示された表示制御装置１３は、表示装置１４に合成制御部１２７から入力する表示画像を表示せずに、表示装置１４に予め用意した所定の静止画像を表示し続ける。
【００２３】
次に、走行中表示制御部１７は、現在、メニュー空間再生中であるかどうかを、前述したナビゲーションマネージャ１１からのメニュー空間再生中である旨の通知に基づいて判定し（ステップ３０６）、メニュー空間再生中であれば、ステップ３０８に進む。一方、メニュー空間再生中でなければ、メニュー空間再生中となるか（ステップ３０６）、走行有無検出センサ１８の検出内容が駐停車中に変化するのを待つ（ステップ３２４）。そして、走行有無検出センサ１８の検出内容が駐停車中に変化した場合には、ステップ３１８に進んで前述した処理を行い、メニュー空間再生中となった場合には、ステップ３０８に進む。
【００２４】
さて、ステップ３０８では、現在再生しているPGC（ここでは、メニュー空間再生中であるので、PGCは、メニュー表示用のVMGM_PGCまたはVTSM_PGCとなる）に含まれる動画中から、一つの画像フレームの画像を代替画像として抽出し、抽出した代替画像の静止画としてのセレクタ１２６への出力を開始する。ここで、この代替画像の抽出の処理の詳細については後述する。
【００２５】
そして、次に、走行中表示制御部１７は、セレクタ１２６に走行中表示制御部１７が出力する代替画像を選択させ、合成制御部１２７へ出力させる（ステップ３１０）。そして、表示制御装置１３に表示開始を指示する（ステップ３１２）。この結果、ビデオデコーダ１２３が出力する動画に代えて、走行中表示制御部１７が出力する代替画像を用いたメニューが表示装置に表示されることになる。
また、この後は、走行有無検出センサ１８の検出内容の駐停車中への変化と（ステップ３１４）、再生中のPGCの変化とを監視する（ステップ３１６）。なお、再生中のPGCの変化は、前述したナビゲーションマネージャ１１からのPGC変化通知に基づいて判定する。
そして、走行有無検出センサ１８の検出内容が駐停車中に変化した場合には、ステップ３１８に進んで前述した処理を行い、再生中のPGCが変化した場合には、ステップ３０４に戻って前述した処理を行う。
ここで、ステップ３０８で行う、現在再生しているPGCに含まれる動画中から、一つの画像フレームの画像を代替画像として抽出する処理の詳細について説明する。
この処理では、ビデオデコーダ１２３から入力する再生中のPGCに含まれる動画を構成する各画像フレームのうち、所定の単位時間あたりの動画の動きが最も小さい期間の中心となる画像フレームの画像を代替画像として抽出する。ただし、抽出した画像が、全面が一色に塗りつぶされた画像である場合には、その次に、単位時間あたりの動画の動きが最も小さくなる期間の中心となる画像フレームの画像を代替画像として抽出するようにする。なお、ビデオデコーダ１２３から入力する動画の動きを求める期間には、動画スチルを含むセルスチル状態にある期間を含まない。セルスチル状態とは、PGCIに従って、ユーザの操作待ちなどのためにPGCの再生を一時停止している状態であり、この動画スチルを含むセルスチル状態の有無は、ナビゲーションマネージャ１１から走行中表示制御部１７に通知するようにする。
【００２６】
ただし、このようにすると、PGCに含まれる動画の全体の再生が完了するまで、代替画像を抽出することができなくなる。そこで、このステップ３０８では、所定の単位時間あたりの動画の動きが所定レベル以上小さい期間が生じた時点で、その期間の中心となる画像フレームの画像を代替画像として抽出するようにしてもよい。
【００２７】
また、このステップ３０８の代替画像の抽出は、代替画像を複数に分割した複数の領域毎に行うようにしてもよい。すなわち、複数の領域の各々について、ビデオデコーダ１２３から入力する再生中のPGCに含まれる動画を構成する各画像フレームのうちの、当該領域に対応する領域おける所定の単位時間あたりの動画の動きが最も小さくなる期間を求めると共に、複数の領域の各々について、求めた期間の中心となる画像フレームの当該領域に対応する領域の画像を部分代替画像として抽出する。そして、抽出した各部分代替画像を、その部分代替画像を求めた領域の画像として組み合わせて代替画像を生成するようにする。
【００２８】
以上、走行中表示制御処理について説明した。
ここで、以上の走行中表示制御処理による、自動車走行中の表示装置１４の表示例を図４に示す。
いま、画像フレームｆ１、ｆ２、．．．によって構成され動画ａ１と、サブピクチャａ２と、ハイライト情報ａ３を含むメニューを表すPGCの再生が、プレゼンテーションエンジン１２により開始されると、走行中制御部によって、一旦、表示装置１４の表示がマスクされ、代替画像が、動画ａ１を構成する画像フレームｆ１、ｆ２、．．．中から探索される。図示した例では、周辺の画像フレームとの動画の動きが少ない画像フレームｆ８-ｆ９の期間の中央のｆ９の画像フレームが代替画像として抽出される。なお、画像フレームｆ１-ｆ２の期間も周辺の画像フレームとの動画の動きが少ない期間となっているが、画像フレームｆ１、画像フレームｆ２は全面塗りつぶしの画像となっているため、代替画像として抽出されない。
【００２９】
そして、このようにして代替画像が抽出されたならば、表示装置１４の表示のマスクが解除され、代替画像ｆ９上に、ａ２に示すサブピクチャを、ａ３に示すハイライト情報HLIに従って操作して合成することにより合成制御部１２７によって形成されたメニューａ４が表示装置１４に表示される。なお、ａ５、ａ６に示した例は、ボタン番号２のボタンがユーザ操作によって選択、決定操作されたときに、サブピクチャのボタン番号２のボタンの領域の表示色が、ハイライト情報に従って変化しているようすを示している。
【００３０】
以上、本発明の実施形態について説明した。
ところで、以上の実施形態で示した走行中表示制御処理のステップ３０８で行う代替画像の抽出は、ビデオデコーダ１２３から入力する再生中のPGCの動画を構成する各画像フレームのうち、動画再生時間の中央の時間に位置する画像フレームや、動画再生時間の最初の位置する画像フレームの画像や、動画再生時間の最後に位置する画像フレームの画像や、動画スチルを含むセルスチル状態にあるときに表示されることになる画像フレームの画像を代替画像として抽出することにより行うようにしてもよい。
【００３１】
または、ステップ３０８では、以上の代替画像の抽出に代えて、ビデオデコーダ１２３から入力する再生中のPGCの動画を構成する画像フレームのうちの適当な一つの画像フレームまたは全ての画像フレームのボタン周辺の位置に対応する画素の色の平均値で、全面を塗りつぶした画像を代替画像として生成したり、このような塗りつぶした画像上に予め用意した「DVDメニュー」などの文字を描画した画像を代替画像として生成するようにしてもよい。なお、動画を構成する各画像フレーム上のボタン周辺の位置は、PCI-HLIデコーダ１２５から通知されるハイライト情報HLIに記述されたボタン領域周辺の位置として求めることができる。または、ステップ３０８では、以上の代替画像の抽出に代えて、予め用意した静止画像を代替画像として生成するようにすることもできる。
【００３２】
なお、以上では、DVDビデオ再生装置への適用を例にとり説明したが、本実施形態の自動車の走行中に、メニューに含まれる動画を静止画に置き換えて表示する技術は、自動車に搭載される任意のビデオ再生装置に同様に適用可能である。
【００３３】
以上のように本実施形態によれば、自動車の走行中、メニューを表示する場合には、メニューに含まれる動画に代えて静止画である代替画像を表示するので、動画の表示を抑止しつつメニューを表示して、ユーザが当該メニューの機能を利用できるようにすることができる。また、この動画に代えて静止画として表示する代替画像を、当該動画の少なくとも一部の内容が反映されるように生成するようにした場合には、代替画像に動画の性質を継承することができ、動画を含んだオリジナルのメニューの雰囲気や娯楽性をある程度維持した形態でメニューを表示することができるようになる。
【００３４】
なお、DVDビデオ再生装置以外のビデオ再生装置に本実施形態を適用する場合において、図５に示すように、動画ａ１中にボタン上に表すメニュー項目の画像が含まれている場合には、メニューに含まれる動画を構成する各フレーム間で動きの無い領域をボタン上に表すメニュー項目の画像ａ２として、残る領域について前述のように代替画像の対応する領域の画像部分ａ３を生成し、これをボタン上に表すメニュー項目の画像ａ２と組み合わせて代替画像ａ４を生成するようにしてもよい。なお、このような処理は、DVDビデオ再生装置にも適用することができ、DVDビデオ再生装置の場合は、たとえば、ハイライト情報HLIがボタン領域を定義しているにもかかわらず、サブピクチャの表示制御情報がサブピクチャの全期間中におけるコントラスト０を規定している場合に動画ａ１中にボタン上に表すメニュー項目の画像が含まれていると判定することがきる。また、動画ａ１中にボタン上に表すメニュー項目の画像部分は、ハイライト情報HLIが示すボタン領域に対応する動画ａ１中の領域の画像部分として求めることができる。
【図面の簡単な説明】
【００３５】
【図１】本発明の実施形態に係るDVDビデオ再生装置の構成を示すブロック図である。
【図２】DVDビデオ再生装置におけるメニュー画面の生成例を示す図である。
【図３】本発明の実施形態に係るDVDビデオ再生装置が行う走行中表示制御処理を示すフローチャートである。
【図４】本発明の実施形態に係るDVDビデオ再生装置の表示例を示す図である。
【図５】本発明の実施形態に係るDVDビデオ再生装置の表示例を示す図である。
【符号の説明】
【００３６】
１…ディスク、１０…DVDドライバ、１１…ナビゲーションマネージャ、１２…プレゼンテーションエンジン、１３…表示制御装置、１４…表示装置、１５…音声出力装置、１６…入力装置、１７…走行中表示制御部、１８…走行有無検出センサ、１２１…デマルチプレクサ機能部、１２２…オーディオデコーダ、１２３…ビデオデコーダ、１２４…サブピクチャデコーダ、１２５…PCI-HLIデコーダ、１２６…セレクタ、１２７…合成制御部。
【図１】
2007096392.tif 000003
【図２】
2007096392.tif 000004
【図３】
2007096392.tif 000005
【図４】
2007096392.tif 000006
【図５】
2007096392.tif 000007